(57)【要約】【課題】被収納物の取出し性及び処分時の解体性に優れた紙製の包装箱及びその包装箱を使用した包装体の開梱方法を提供することを目的とする。【解決手段】２組の対向する側面板と各側面板の上縁に上稜線を介して延在させた蓋フラップを有する紙製の包装箱であって、少なくとも１方の側面板とその上縁に延在させた蓋フラップにおいて、側面板の左稜線の近傍と右稜線の近傍に上下方向に延びて上方の上稜線を跨いで蓋フラップまで延びる２本の切断線を備え、且つ、蓋フラップにおいては、該切断線が側面板の上稜線に対し斜めで左右端部に近づく方向に延びてなる包装箱及びその包装箱を使用した包装体の開梱方法である。【選択図】図２
2008207815.tif 000002
【特許請求の範囲】
【請求項１】
２組の対向する側面板と各側面板の上縁に上稜線を介して延在させた蓋フラップを有する紙製の包装箱であって、少なくとも一方の側面板と該側面板の上縁に延在させた蓋フラップにおいて、側面板の左稜線の近傍と右稜線の近傍に上下方向に延びて上方の上稜線を跨いで蓋フラップまで延びる２本の切断線を備え、且つ、蓋フラップにおいては、該切断線が側面板の上稜線に対し斜めに左右端部に近づく方向に延びてなる包装箱。
【請求項２】
前記切断線が、少なくとも一組の対向する側面板の各々と該側面板の上縁に延在させた蓋フラップに設けられている請求項１記載の包装箱。
【請求項３】
前記切断線が、側面板において、左稜線と右稜線に概ね平行に延びてなる請求項１又は２に記載の包装箱。
【請求項４】
複数の直方体形状の被包装物が、請求項１〜３のいずれかに記載の包装箱に、当該包装箱の側面板に内接し、且つ、当該被包装物の複数の天面が概ね面一で収容されてなる包装体を開梱して被包装物を取出すに際し、前記切断線を備えた蓋フラップを開いた後、前記切断線を備えた側面板と被包装物との間に上方から手指を差し込むことにより、側面板及び蓋フラップの切断線によって隙間を形成し、更に、蓋フラップを切断線の延長上の左右端部まで破断する、包装体の開梱方法。
【発明の詳細な説明】
【技術分野】
【０００１】
本発明は、被包装物を容易に取出すことができ、解体が容易な紙製の包装箱に関する。
【背景技術】
【０００２】
粉粒状の洗剤等の各種物品を充填した直方体形状の商品は、２組の対向する側面板と各側面板の上縁に上稜線を介して延在させた蓋フラップとを有する段ボール等の紙製の包装箱に複数個を包装・封緘して流通させ、包装箱から取出して小売販売に供する場合が多い。
この場合、被包装物が包装箱内で移動するのを防ぎ、また、包装材料の使用量を少なく抑える等の理由で、被包装物を包装箱の側面板と接して包装するのが一般的であるが、その場合、指を下端まで差し込む隙間が無く、また、蓋フラップが邪魔になって、包装箱からの被包装物の取出作業が非常に困難である。
【０００３】
この問題を解決し得る包装箱として、２組の対向する側面板と各側面板の上縁に上縁線を介して延在させた蓋フラップとを有する紙製の包装箱に、側面板から蓋フラップに至る２本の切れ込み線を設け、蓋フラップを折り返し状態とした後、２本の切れ込み線で挟まれた部分を、外側又は内側に倒して２本の切れ込み線の間に固定することにより、蓋フラップを折り返し状態に固定するようにした包装箱（特許文献１及び２参照。）や、同様に２本の切れ込み線を設けた包装箱で、２本の切れ込み線で挟まれた部分において、山折れから谷折れにほぼ直角にひっくり返すことによって、蓋フラップを略水平に固定するようにした包装箱（特許文献３参照。）が提案されている。
【０００４】
これらの包装箱においては、蓋フラップが固定されるため取出作業の邪魔にはならず、しかも、被包装物の上端が露出するため、被包装物に指を掛けて取出し易くしているが、被包装物上端の露出部分はそれ程大きくなく、しかも指を掛ける部位は被包装物のフラットな面であるため、捉え難く、特に、重い被包装物の場合の取出しは容易ではない。また、２本の切れ込み線に挟まれた部分を外側に倒したり、折線の折れ方向を逆にする手間も掛かる。
更にまた、包装箱を廃棄処分にそなえて解体することにも手間を要する。
【０００５】
【特許文献１】実開平２−８７７１８号公報
【特許文献２】特開２００３−２８５８２８号公報
【特許文献３】特開２００２−２６４９２３号公報
【発明の開示】
【発明が解決しようとする課題】
【０００６】
本発明は、上記背景技術の問題点に鑑み、被収納物の取出し性及び処分時の解体性に優れた紙製の包装箱及びその包装箱を使用した包装体の開梱方法を提供することを目的とする。
【課題を解決するための手段】
【０００７】
本発明者らは、側面板から蓋フラップに至り、且つ、蓋フラップにおいては左右端部方向に斜めに向う切断線を備えた包装箱とすることにより、その課題を解決しうることを着想した。
即ち本発明は、
２組の対向する側面板と各側面板の上縁に上稜線を介して延在させた蓋フラップを有する紙製の包装箱であって、少なくとも一方の側面板と該側面板の上縁に延在させた蓋フラップにおいて、側面板の左稜線の近傍と右稜線の近傍に上下方向に延びて上方の上稜線を跨いで蓋フラップまで延びる２本の切断線を備え、且つ、蓋フラップにおいては、該切断線が側面板の上稜線に対し斜めに左右端部に近づく方向に延びてなる包装箱及びその包装箱を使用した包装体の開梱方法である。
【発明の効果】
【０００８】
本発明の包装箱は、その包装箱を使用した包装体を開梱して被包装物を取出すに際しては、包装箱の側面板を広範囲に広げるため、どこからでも手指が入り、被包装物の広い範囲を手指で掴め、側面板を一層大きく広げると、手指を被包装物の底部まで差し込めるので、更に容易に被包装物を取出すことができ、又、廃棄処分するために包装箱を潰して小さくすることも容易であるので、被包装物の取出しと、包装箱の処理に要する作業時間を短縮することができる。
【発明を実施するための最良の形態】
【０００９】
以下、本発明の包装箱を、図を参照して説明する。
図１は、本発明の１実施例における包装箱の、蓋フラップをほぼ水平状態にした時の形状を示す斜視図であり、図２は、図１における側面板１ａと蓋フラップ３ａとを同一平面状にした状態で示す平面図である。
【００１０】
図１に示すように、包装箱は、１ａと１ｃ及び１ｂと１ｄの２組の対向する側面板と各側面板の上縁に上稜線２ａ、２ｃ、２ｂ及び２ｄを介して延在させた蓋フラップ３ａ、３ｃ、３ｂ及び３ｄを有する紙製の包装箱であって、１組の対向する側面板１ａ及び１ｃの各々とそれらの側面板から上稜線２ａ及び２ｃを介して延在させた蓋フラップ３ａ及び３ｃの各々において、側面板１ａ及び１ｃの右稜線の近傍と左稜線の近傍に上下方向に延びて上方の上稜線２ａ及び２ｃを跨いで蓋フラップ３ａおよび３ｃまで延びる各２本の切断線４ａａと４ａｂ及び４ｃａと４ｃｂを備え、且つ、蓋フラップ３ａ及び３ｃにおいては、該切断線４ａａと４ａｂ及び４ｃａと４ｃｂが側面板の上稜線２ａ及び２ｃに対し斜めに蓋フラップ３ａ及び３ｃの左右端部に近づく方向に延びている。
【００１１】
以下、切断線について、図２を参照して説明する。
図２に示すように、切断線４ａａと４ａｂとは、左右対称の形状に形成されるので、主として、右側の切断線４ａａについて説明する。
切断線４ａａは、側面板１ａの右稜線５ａａの近傍に上下方向に延びて上方の上稜線２ａを跨いで蓋フラップ３ａまで延びている。側面板１ａにおいては、切断線４ａａは、右稜線５ａａに対し概ね平行に形成するのが好ましいが、必ずしも限定されない。一方、蓋フラップ３ａにおいては、切断線４ａａは、上稜線２ａに対し斜めに蓋フラップ３ａの右端部６ａａに近づく方向に延ばして形成することが必要である。
切断線４ａａ（４ａｂ）は、全切れ線で形成されることが好ましいが、連続部分が点状で切れこみ部分の占める割合が大きく簡単に切断される破断線（ミシン目）であっても良い。
【００１２】
本発明の包装箱の主たる被包装物は、粉粒状の洗剤等を充填した直方体形状の商品であり、包装箱の寸法は、通常、縦幅３２０〜５９０ｍｍ、横幅２００〜３５０ｍｍ、高さ１４０〜３００ｍｍであり、この寸法の包装箱を基準として、切断線について、更に詳細に説明する。
【００１３】
切断線４ａａの側面板１ａ側の端は、側面板１ａの下端から離れており、側面板１ａの高さ方向中間領域にあるが、上稜線２ａからの高さ方向の距離Ｄ１が、側面板１ａの高さの２５〜３５％に相当する長さであるのが好ましい。
側面板１ａにおいて、切断線４ａａは糊代に掛からないことが必要であり、従って切断線４ａａと右稜線５ａとの距離Ｄ２は、４０ｍｍ以上、特に４０〜５０ｍｍとすることが好ましい。但し、切断線４ａａと切断線４ａｂの距離Ｄ３は、５００ｍｍ以下とするのが好ましい。
【００１４】
蓋フラップ３ａにおいて、切断線４ａａは上稜線２ａに対し斜めに形成するが、その角度θは、３０〜６０°とするのが好ましい。また、切断線４ａａの蓋フラップ３ａ側の端と蓋フラップ３ａの右端部６ａａとの直線距離Ｄ４は、蓋フラップ３ａが切断線４ａａの端から更に右端部６ａａまで破断する（引き裂く）ようにするためには、１０〜２０ｍｍとするのが好ましく、特に１０〜１５ｍｍとするのが好ましい。
【００１５】
切断線を、上記のような条件を満たすように形成することにより、被包装物を収容・運送するのに必要な強度を損なうことなく、被包装物の取出しと、包装箱の解体を、より容易にすることができるが、必ずしも上記の条件に限定されるものではない。
【００１６】
図３は、本発明の包装箱を使用した包装体を開梱して被包装物を取出す際の状況を示す、斜視図である。
図３（Ａ）に示すように、２個の被包装物７を収容した本発明の包装箱において、切断線４ａａ、４ａｂを備えた蓋フラップ３ａ（図示せず。）及び切断線４ｃａ、４ｃｂを備えた蓋フラップ３ｃを開いた後、図３（Ｂ）に示すように、切断線４ａａ、４ａｂを備えた側面板１ａと被包装物との間及び切断線４ｃａ、４ｃｂを備えた側面板１ｃと被包装物との間に上方より手指を差し込むことにより、側面板１ａ、１ｃ及び蓋フラップ３ａ、３ｃの切断線４ａａ、４ａｂ、４ｃａ、４ｃｂによって隙間を形成し、更に、蓋フラップを切断線の延長上を左右端部まで破断してゆき、側面板１ａの切断線４ａａと４ａｂとの間の領域、及び、側面板１ｃ切断線４ｃａと４ｃｂとの間の領域において、側面板と被包装物との間に手指を差し込むのに十分な隙間ができ、これにより、被包装物の広範囲にわたり手指で接触することができるので、安定的且つ容易に被包装物を取出すことができる。また、手指を包装箱の底部に向って更に深く差し込むことにより、側面板を切断線の端より更に底部にまで破断することができ、包装箱の解体が容易となる。無論、このように、側面板を切断線の端より更に底部にまで破断した後であれば、被包装物の下側に手指を差し込めるので、取出しが更に容易になる。
【００１７】
切断線は、４方の側面板の内の少なくとも一方の側面板と該側面板の上縁に延在させた蓋フラップに形成すれば良く、短辺側及び長辺側の２組の対向する側面板の何れか一方の組合せにおける一方若しくは両方の側面板、又は両方の組合せにおける全ての側面板について形成しても良いが、図３に示すように、２個の被包装物を収納した包装箱の場合は、長辺側の２組の対向する側面板及び蓋フラップに切断線を形成した方が、２個の被包装物の個々ついて、同様な取出し操作が可能であるので、好ましい。
包装箱を形成する紙基材としては、段ボールが好ましいが、板紙等も使用することができる。
【産業上の利用可能性】
【００１８】
本発明の包装箱は、粉粒状の洗剤に限らず、化粧品、食品等の各種の物品を収納した直方体形状の商品を、複数個、当該包装箱の側面板に内接し、且つ、当該被包装物の天面と蓋フラップとを接して包装する包装箱に、好適に用いることができる。
【図面の簡単な説明】
【００１９】
【図１】本発明の１実施例における包装箱の、蓋フラップをほぼ水平状態にした時の形状を示す斜視図である。
【図２】図１における側面板１ａと蓋フラップ３ａとを同一平面状にした状態で示す平面図である。
【図３】本発明の包装箱を使用した包装体を開梱して被包装物を取出す際の状況を示す斜視図である。
【符号の説明】
【００２０】
１ａ、１ｂ、１ｃ，１ｄ：側面板
２ａ、２ｂ、２ｃ，２ｄ：上稜線
３ａ、３ｂ、３ｃ，３ｄ：蓋フラップ
４ａｂ、４ａｂ、４ｃｂ、４ｃｂ：切断線
５ａａ：側面板１ａの右稜線
５ａｂ：側面板１ａの左稜線
６ａａ：蓋フラップ３ａの右端部
６ａｂ：蓋フラップ３ａの左端部
７：被包装物
【図１】
2008207815.tif 000003
【図２】
2008207815.tif 000004
【図３】
2008207815.tif 000005